(57)【要約】【課題】床上で手軽にカーリング競技を楽しむことができるようにした床上カーリング競技用ストーンを提供する。【解決手段】大径の円盤状ストーン本体２の上面にハンドル３を取付け、ストーン本体２の底面４中央部に底面がゆるやかな凸円弧状面５となした小径の円盤状突出部６を形成してなる。ストーン本体２の底面中央部の円盤状突出部６は、ストーン本体２の底面中央部に凹部８を形成するとともに、底面がゆるやかな凸円弧状面５をなした円盤状駒９を凹部８に嵌合させ、凸円弧状面５をストーン本体２の底面４から突出させて形成する。【選択図】図４
0003222479.tif 000002
【実用新案登録請求の範囲】
【請求項１】
大径の円盤状ストーン本体の上面にハンドルを取付け、ストーン本体の底面中央部に底面がゆるやかな凸円弧状面となした小径の円盤状突出部を形成してなることを特徴とする床上カーリング競技用ストーン。
【請求項２】
ストーン本体の底面中央部の円盤状突出部は、ストーン本体の底面中央部に凹部を形成するとともに、底面がゆるやかな凸円弧状面をなした円盤状駒を前記凹部に嵌合させ、前記凸円弧状面をストーン本体の底面から突出させて形成した請求項１に記載の床上カーリング競技用ストーン。
【請求項３】
円盤状駒はプラスチック材により、ストーン本体は木質材又はプラスチック材によりそれぞれ形成してなる請求項２に記載の床上カーリング競技用ストーン。
【請求項４】
凸円弧状面の半径は、２００〜４００Ｒとした請求項１〜３のいずれか１項に記載の床上カーリング競技用ストーン。
【請求項５】
ストーンの重さは４００〜６００ｇとし、ストーン本体の外径は１４０〜１６０ｍｍとし、円盤状突出部の外径は６０〜８０ｍｍとし、ストーン本体の底面中央部の円盤状突出部の突出量は４〜６ｍｍとした請求項１〜４のいずれか１項に記載の床上カーリング競技用ストーン。
【考案の詳細な説明】
【技術分野】
【０００１】
本考案は、氷上ではなく、体育館や一般家庭のフローリング上などの床上で気軽にカーリング競技を行うことができる床上カーリング競技用ストーンに関する。
【背景技術】
【０００２】
従来、床上でもカーリング競技を行うことができるようにしたカーリング用疑似ストーンがある（特許文献１）。本体の底面外周部に小径ボールと大径ボールとを１組とした複数組のボールを回転可能に嵌めこんだカーリング用疑似ストーンである。小径ボールと大径ボールとを積層状態にて回転可能に嵌め込み、ボールが外れるのを規制するリテーナーを底面に固定してなる。このものは、部品点数も多くなり、小径ボールと大径ボールとを積層状態にて回転可能に嵌め込むために段状穴を形成する必要があるなど、構造も複雑で高価になる。
【０００３】
また、ストーンの底面に複数の車輪を設置したものもある。しかし、構造が複雑で、また、ストーン自体も重く、手軽に楽しむことができないものであった。
【先行技術文献】
【特許文献】
【０００４】
【特許文献１】実用新案登録第３０６２８６８号公報
【考案の概要】
【考案が解決しようとする課題】
【０００５】
そこで、本考案は、床上で手軽にカーリング競技を楽しむことができるようにした床上カーリング競技用ストーンを提供することを目的とする。
【課題を解決するための手段】
【０００６】
上記の課題を解決するために、請求項１に係る床上カーリング競技用ストーンは、大径の円盤状ストーン本体の上面にハンドルを取付け、ストーン本体の底面中央部に底面がゆるやかな凸円弧状面となした小径の円盤状突出部を形成してなること、を特徴としている。
請求項２に係る考案は、ストーン本体の底面中央部の円盤状突出部は、ストーン本体の底面中央部に凹部を形成するとともに、底面がゆるやかな凸円弧状面をなした円盤状駒を前記凹部に嵌合させ、前記凸円弧状面をストーン本体の底面から突出させて形成したものである。
請求項３に係る考案は、円盤状駒はプラスチック材により、ストーン本体は木質材又はプラスチック材によりそれぞれ形成してなるものである。
請求項４に係る考案は、凸円弧状面の半径を、２００〜４００Ｒとしたものである。
請求項５に係る考案は、ストーンの重さは４００〜６００ｇとし、ストーン本体の外径は１４０〜１６０ｍｍとし、円盤状突出部の外径は６０〜８０ｍｍとし、ストーン本体の底面中央部の円盤状突出部の突出量は４〜６ｍｍとしたものである。
【考案の効果】
【０００７】
請求項１に係る考案は、大径の円盤状ストーン本体の上面にハンドルを取付け、ストーン本体の底面中央部に底面がゆるやかな凸円弧状面となした小径の円盤状突出部を形成してなるので、構造が簡単で安価に製造できる。また、円盤状突出部の底面をゆるやかな凸円弧状面となしたので、床面との接触面積が小さく、小さな力で滑らせることができ、カーリング競技を手軽に楽しむことができる。
請求項２に係る考案は、ストーン本体の底面中央部の円盤状突出部を、ストーン本体の底面中央部に凹部を形成するとともに、底面がゆるやかな凸円弧状面をなした円盤状駒を前記凹部に嵌合させ、前記凸円弧状面をストーン本体の底面から突出させて形成したものであるので、ストーン本体の底面中央部に凹部を形成し、この凹部に所定形状の円盤状駒を嵌合させるだけの簡単な構造であり、安価に製造できる。
請求項３に係る考案は、円盤状駒をプラスチック材により、ストーン本体を木質材又はプラスチック材によりそれぞれ形成してなるもので、汎用の材料を使用して安価に製造できる。
請求項４に係る考案は、凸円弧状面の半径を、２００〜４００Ｒとしたもので、この程度の半径とすることにより、ストーンを滑らせた際に安定した姿勢を保ち易くなる。
請求項５に係る考案は、ストーンの重さを４００〜６００ｇとし、ストーン本体の外径を１４０〜１６０ｍｍとし、円盤状突出部の外径を６０〜８０ｍｍとし、ストーン本体の底面中央部の円盤状突出部の突出量を４〜６ｍｍとしたもので、重さもそれ程重くなく、大きさもあまり大きくないので、手軽に楽しむことができる。
【図面の簡単な説明】
【０００８】
【図１】本考案の実施例による床上カーリング競技用ストーンの正面図である。
【図２】本考案の実施例による床上カーリング競技用ストーンの平面図である。
【図３】本考案の実施例による床上カーリング競技用ストーンの底面図である。
【図４】図２のＩＶ−ＩＶ断面図である。
【図５】他の実施例による図４相当の断面図である。
【図６】競技用シートの説明用平面図である。
【考案を実施するための形態】
【０００９】
以下、本考案の実施例を図面に基づいて具体的に説明する。本考案の実施例による床上カーリング競技用ストーン１は、大径の円盤状ストーン本体２の上面にハンドル３を取付け、ストーン本体２の底面４中央部に底面がゆるやかな凸円弧状面５となした小径の円盤状突出部６を形成してなる。円盤状突出部６の底面をゆるやかな凸円弧状面５となしたので、床面との接触面積が小さく、小さな力で滑らせることができる。
ストーン本体２の上面には、取付け金具（アジャスターベース）７を介してＬ形のハンドル３を取付けてある。
【００１０】
ここで、ストーン本体２の底面４中央部の円盤状突出部６は、ストーン本体２の底面４中央部に凹部８を形成するとともに、底面がゆるやかな凸円弧状面５をなした円盤状駒９を前記凹部８に嵌合させ、接着剤や両面テープ等により固定し、ゆるやかな凸円弧状面５をストーン本体２の底面４から突出させて形成したものである。なお、円盤状駒９の凹部８への嵌合は、ねじ嵌合など着脱可能に嵌合させるようにしてもよい。着脱可能に嵌合させるようにすれば、使用により凸円弧状面５が摩耗した際に、円盤状駒９のみ取り換えることができるので、経済的である。
凸円弧状面５の半径は２００〜４００Ｒ程度が好ましい。この程度のＲとすることにより、ストーン１を滑らせる際に安定した姿勢を保ち易くなる。
【００１１】
ストーン本体２は、木質材又はプラスチック材により形成する。木質材としては、無垢材でもよいが、合板材又は集成材がコスト的にも有利である。
円盤状駒９は、プラスチック材により形成する。特に限定されないが、比較的滑りやすい材質、例えばナイロン樹脂製のものが好ましい。
このように、円盤状駒９はプラスチック材により、ストーン本体２は木質材又はプラスチック材によりそれぞれ形成してなるもので、汎用の材料を使用して安価に製造できる。
【００１２】
ストーン１の重さは４００〜６００ｇとし、ストーン本体２の外径は１４０〜１６０ｍｍとし、円盤状駒９の外径は６０〜８０ｍｍとし、ストーン本体２の底面中央部の小径の円盤状突出部６の突出量ｈは４〜６ｍｍとしてある。重さが４００〜６００ｇ程度であれば、それ程重くないので、大人から子供まで手軽に楽しむことができる。ストーン本体２の外径が１４０〜１６０ｍｍ程度であれば、それ程大きくないので、保管のスペースもそれ程要しない。ストーン本体２の底面中央部の円盤状突出部６の突出量ｈが４〜６ｍｍ程度であれば、安定した姿勢でストーンが床面を滑り易い。
【００１３】
図５は他の実施例を示したもので、底面中央部の円盤状突出部６とストーン本体２とを一体となしたものである。
【００１４】
次に、上記の構成からなる床上カーリング競技用ストーン１の使用方法を説明する。先ず、体育館などの床面に競技用シート１０を敷く。競技用シート１０は、例えば１３００ｍｍ×６０００ｍｍのシートの長手方向一端側に同心円状の的１１を描画したものである。なお、このシート１０は、床面を保護する役割も併せもつ。競技者は、シート１０の長手方向他端側から的１１に向けてストーン１を滑らせてカーリング競技を行う。競技のルールは競技者間で適宜定めて競技を楽しむことができる。
【００１５】
このように、本考案の床上カーリング競技用ストーン１によれば、床上に競技用シート１０を敷くだけでよく、子供から大人まで気軽にカーリング競技を楽しむことができる。
【符号の説明】
【００１６】
１  床上カーリング競技用ストーン
２  ストーン本体
３  ハンドル
４  ストーン本体の底面
５  凸円弧状面
６  円盤状突出部
７  取付け金具（アジャスターベース）
８  凹部
９  円盤状駒
１０  競技用シート
１１  的
ｈ  突出量
【図１】
0003222479.tif 000003
【図２】
0003222479.tif 000004
【図３】
0003222479.tif 000005
【図４】
0003222479.tif 000006
【図５】
0003222479.tif 000007
【図６】
0003222479.tif 000008